(57)【要約】【課題】携帯端末と接続可能な画像形成装置において、携帯端末の有する音声発音機能を、画像形成装置の状態を報知する際に利用する。【解決手段】携帯端末と画像形成装置を接続するインターフェースを設け、画像形成装置内で発生する故障やエラーを、その種類に応じて携帯端末の有する音声発声機能に転送しユーザに報知する。【選択図】        図１
2004155016.tif 000002
【特許請求の範囲】
【請求項１】
携帯端末が電気的に接続可能な画像形成装置において、前記携帯端末と前記画像形成装置との間で双方向通信が可能であって、前記携帯端末は音声発生手段を有し、前記画像形成装置の状態を前記携帯端末の音声発声手段により報知することを特徴とした画像形成装置。
【請求項２】
請求項１記載の画像形成装置において、前記画像形成装置の故障状態、エラー状態及び伝達事項それぞれに対して、前記携帯端末における音声発生手段の異なった音色を使用して報知することを特徴とした画像形成装置。
【請求項３】
請求項１記載の画像形成装置において、双方向通信を利用して、画像データ送信者に対する固有の音色を発生することを特徴とした画像形成装置。
【発明の詳細な説明】
【０００１】
【発明の属する技術分野】
本発明は、携帯電話、ＰＨＳなど音声発声機能を有する外部携帯端末と通信可能なプリンタ、複写機、ファクシミリなどの画像形成装置に関するものである。
【０００２】
【従来の技術】
従来、複写機、ファクシミリ等では装置の状態を音声をもって報知する為の手段、例えば、スピーカなどを装置内に有することが常であった。
【０００３】
また、低価格帯のプリンタ、複写機などは装置の状態を報知する為の手段、例えば、スピーカ等音声発生手段を有することは価格を抑える上で敬遠されてきた。
【０００４】
【発明が解決しようとする課題】
しかしながら、上記従来例では以下に示す問題点があった。
・装置の状態を音声をもって報知する為の手段、例えば、スピーカなどを有するため、コストアップになっていた。
・スピーカ等の磁気部品から放射されるノイズ対策が必要になり、コストアップに繋がっていた。
・装置の状態を示すエラー音が同一であるため、ユーザには何のエラーなのか種類が分からない場合が多かった。また、スピーカの発生音の周波数を変化させることにより、音色は変更できるものの、限度も有り、またコストもアップするという問題もあった。
・誰が出力した画像なのか分からなかった。
・眼の不自由な方に対して、ユーザフレンドリでなかった。
【０００５】
本発明は、上記問題点を鑑みたものであり、その第１の目的とするところは、携帯端末と画像形成装置間の双方向通信を可能にする通信手段を有する画像形成装置であって、前記携帯端末の音声発生手段により、画像形成装置の状態を報知することである。
【０００６】
また第２の目的とするところは、画像形成装置の故障やエラーを種類に応じて音色を変えて報知することである。
【０００７】
また第３の目的とするところは、画像データ送信者に対して、それぞれ固有の音色を設定し、画像出力後にその送信者に対する音色を発することである。
【０００８】
【課題を解決するための手段】
上記目的を達成するために本発明の画像形成装置では、画像形成装置に外部携帯端末を接続し、前記携帯端末と前記画像形成装置との間で双方向通信が可能であって、前記携帯端末は音声発生手段を有し、前記画像形成装置の状態を前記携帯端末の音声発声手段により報知することを特徴としたものである。
【０００９】
さらに、前記画像形成装置の故障状態、エラー状態及び伝達事項それぞれに対して、前記携帯端末における音声発生手段の異なった音色を使用して報知することを特徴としたものである。
【００１０】
また、双方向通信を利用して、画像データ送信者に対する固有の音色を発生することを特徴としたものである。
【００１１】
【発明の実施の形態】
（第１の実施例）
図１は本発明を示す画像形成装置であり全体構成の概略を示す断面図、図２は本発明の故障状態を示す状態遷移図である。図３は本発明のエラー状態を示す状態遷移図である。
図１において、１は画像形成装置本体、２はペーパーカセットである。３ａはペーパーカセット２から記録紙Ｐ（以下、用紙Ｐと略称する）を給紙する給紙ローラ、３ｂは給紙ローラ３ａで給紙された用紙Ｐを搬送路上へ搬送する搬送ローラ、４は画像書き込みタイミングを検知する給紙センサ。５はレーザスキャナユニットで、画像データに基づいて半導体レーザである５ａから照射されるレーザ光をスキャニングし、折り返しミラー６によって、プロセスカートリッジ７にある感光ドラム７ａ上に走査しながら帯電手段であるところの帯電器７ｂにより帯電された箇所に静電潜像を形成する。感光ドラム７ａ上の静電潜像は現像手段であるところの現像器７ｃでトナー現像され、転写手段であるところの転写部７ｄで用紙Ｐに転写される。
【００１２】
用紙Ｐ上のトナー像は定着手段である熱定着装置８において、熱と圧力を加えて定着される。この熱定着装置８は発熱抵抗体である定着ヒータ８ａ、発熱抵抗体の温度状態を検知するサーミスタ８ｂ、加圧ローラ８ｃ、耐熱性フィルム８ｄで構成される。９は排紙ローラで、熱定着装置８を通過した用紙Ｐを排紙トレイ１０へ排出する。１１は制御手段としてのエンジンコントローラ部であり、各デバイスと電気的に接続されており統括的に制御する。
【００１３】
さらに１１の制御手段は定着ヒータ８ａを所望の温度となるように制御する温度制御手段、入力される商用電源の電圧を監視する電源電圧監視手段なども含まれている。１２はプロセスカートリッジ７及び熱定着装置８などが機械的に接続され、所定の紙搬送速度で用紙Ｐを搬送するための中心的役割を担う搬送モータである。１３は携帯端末であり、画像形成装置本体１にセットされると、エンジンコントローラ部である１１と接続され通信を行ない、装置本体の状態を音声をもってユーザに報知する。
【００１４】
図２において、エンジンコントローラ部が装置の故障状態を検出した場合、それがどの故障であるのか携帯端末の音声機能を利用してユーザに報知する。２０１において、定着装置の故障と判断された時は、２０２において、定着装置の故障であることを示す音色Ａを発しユーザに報知する。また、２０３において、レーザスキャナユニットにあるスキャニングモータの故障と判断した時は、２０４において、スキャニングモータの故障であることを示す音色Ｂを発しユーザに報知する。さらに、２０５において、レーザスキャナユニットにある半導体レーザの故障と判断した時は、２０６において、スキャニングモータの故障であることを示す音色Ｂを発しユーザに報知する。
【００１５】
図３において、エンジンコントローラ部が装置のエラー状態を検出した場合、それがどのエラーであるのか携帯端末の音声機能を利用してユーザに報知する。３０１において、用紙Ｐがないと判断された時は、３０２において、用紙Ｐの補給を促すことを示す音色Ｄを発しユーザに報知する。また、３０１において、用紙Ｐがあると判断された時は装屋内に用紙Ｐが詰まっていることと判断し（３０３）、３０４において、詰まっている用紙を取り除くことを促すことを示す音色Ｅを発しユーザに報知する。
【００１６】
本実施例では、故障状態を３つに分け、その故障状態に対する音色も３種類に設定したがこの限りではない。また。エラー状態においても２つの状態を考慮したが、これも同様である。
【００１７】
（第２の実施例）
図４は第２の実施例を示す図である。第１の実施例と同一の機能を有するものは同一の符号としている。図４において、画像形成装置本体１にあるエンジンコントローラ部１１がユーザであるＳさんからの画像データを受信したと判断した時には、４１において、Ｓさん用のＭｅｌｏｄｙを、装置本体に接続した携帯端末１３から発することである。
【００１８】
本実施例では、装置本体に接続されるユーザ数は２名であるが、この限りではない。
【００１９】
【発明の効果】
以上説明したように、本発明によれば、携帯端末と画像形成装置を接続し、携帯端末の音声機能を利用することにより、画像形成装置に音声発生手段を有する必要がなくなりコストアップを抑えることが可能となる。
【００２０】
さらに、携帯端末が有している数多い音色を利用することで、装置がどういう状態なのか瞬時に判断することが可能となる。
【００２１】
また、１ユーザに対して１音色を設定しておくことにより、誰が出力したデータなのか判断がつきやすいためユーザビリティが向上する。
【図面の簡単な説明】
【図１】第１の実施例を示す本体構成図
【図２】第１の実施例を示す状態遷移図
【図３】第１の実施例を示す状態遷移図
【図４】第２の実施例を示すイメージ図
【符号の説明】
１‥‥画像形成装置
１１‥‥エンジンコントローラ部
１３‥‥携帯端末
【図１】
2004155016.tif 000003
【図２】
2004155016.tif 000004
【図３】
2004155016.tif 000005
【図４】
2004155016.tif 000006